(57)【要約】【課題】  画像の電送に失敗した事が分からない為、なぜ失敗したのかが不明のため対処が出来ずもう一度転送作業を初めからやり直さなくてはいけなかった。その為本発明は、なぜ失敗したかを分かる様にし、更に正確な画像の伝送を目指す。【解決手段】  通信手段と、前記通信手段が通信中に他の妨害が有るかどうかを検出する妨害検出手段と、前記妨害検出手段からの情報を元に妨害の原因を判断する妨害判断手段と、前記、妨害判断手段からの情報を表示する表示手段と、前記、妨害判断手段からの情報を元に通信を中断しマイコン手段からの送信モードに合わせて再送信を行う再送信手段と、前述の妨害判断手段からの情報を元に電源を制御する電源制御手段とを具備した事を特徴とする画像伝送装置とする。【選択図】  図１
2010004276.tif 000002
【特許請求の範囲】
【請求項１】
通信手段と、前記通信手段が通信中に他の妨害が有るかどうかを検出する妨害検出手段と、前記妨害検出手段からの情報を元に妨害の原因を判断する妨害判断手段と、前記妨害判断手段からの情報を表示する表示手段と、前記、妨害判断手段からの情報を元に通信を中断しマイコン手段からの送信モードに合わせて再送信を行う再送信手段と、前述の妨害判断手段からの情報を元に電源を制御する電源制御手段とを具備した事を特徴とする画像伝送装置。
【請求項２】
前述の再送信手段は、前述の前述のマイコン手段により、送信モードが１枚以上の連続した静止画像の時は、妨害を受けた画像の先頭から送り直す事を特徴とする請求項１又は請求項８に記載の画像伝送装置。
【請求項３】
前述の再送信手段は、前述の前述のマイコン手段により、送信モードが動画像の時は、妨害を受ける数フレーム前のフレームの先頭画像から送り直す事を特徴とする請求項１又は請求項８に記載の画像伝送装置。
【請求項４】
前述の再送信手段は、前述の前述のマイコン手段により、送信モードが動画像の時は、テープを巻き戻して妨害を受ける数秒前のフレームの先頭画像から送り直す事を特徴とする請求項１又は請求項８に記載の画像伝送装置。
【請求項５】
前述の妨害判断手段の情報を表示する表示手段は、出力画像データーに画像や文字を挿入する事を特徴とする請求項１又は請求項８に記載の画像伝送装置。
【請求項６】
前述の妨害検出手段は、予想される周波数帯域を分割して走引し、分割した帯域毎の検波電圧により妨害波を検出するように動作する妨害検出手段を備えた事を特徴とする請求項１又は請求項８に記載の画像伝送装置。
【請求項７】
前述の妨害検出手段の情報を元に帯域毎の発信される機器のリストと比較して、妨害波を出している機器を特定する事を特徴とする妨害判断手段を備えた事を特徴とする請求項１又は請求項８に記載の画像伝送装置。
【請求項８】
通信手段と、前記通信手段が通信中に他の妨害が有るかどうかを検出する妨害検出手段と、前記妨害検出手段からの情報を元に妨害の原因を判断する妨害判断手段と、前記妨害判断手段からの情報を表示する表示手段と、前記妨害判断手段からの情報を元に通信を中断しマイコン手段からの送信モードに合わせて再送信を行う再送信手段を具備した事を特徴とする画像伝送装置。
【発明の詳細な説明】
【技術分野】
【０００１】
本発明は、デジタル画像データーの画像伝送装置に関するものである。
【背景技術】
【０００２】
従来の構成について、図５に於いて説明する。同図に於いて２０は、撮像装置を含み画像データーを生成するカメラ信号処理手段である。２１は前記、カメラ信号処理手段の信号を圧縮し電送する形に変換する圧縮信号処理手段である。２２は、前記カメラ信号処理手段の信号をテープやメモリーに記憶させる為に圧縮するレコーダー信号処理手段である。２３は、前記レコーダー信号処理手段の出力を記録する為のデーターに変換する記録信号処理手段である。２４は前記圧縮信号処理手段の出力信号をＵＷＢ信号に変換し出力するＵＷＢ出力手段である。
【０００３】
上記の例として、下記特許文献１をあげることが出来る。
【特許文献１】特開2007-060625号公報
【発明の開示】
【発明が解決しようとする課題】
【０００４】
しかしながら、上記従来例では、以下のような問題点があった。
【０００５】
画像の電送に失敗した事が分からない為、なぜ失敗したのかが不明のため対処が出来ずもう一度転送作業を初めからやり直さなくてはいけなかった。その為本発明は、なぜ失敗したかを分かる様にし更に正確な画像の伝送を目的としている。
【課題を解決するための手段】
【０００６】
上記目的を達成するため、本出願に係わる発明の画像伝送装置は、
ＵＳＢ信号と周囲の電波を受信する受信手段と、受信手段の信号から妨害波を検出する妨害波検出手段と、妨害波が通信に影響を与えるかどうかを判断する妨害判断手段と、妨害波を出している機器を特定し表示や動作を制御するマイコン手段と、文字信号を発生させる文字信号発生手段と、文字信号を画像信号に合成する画像合成手段とを有し、画像データーを生成するカメラ信号処理手段と、カメラからの信号を圧縮し電送する形に変換する圧縮信号処理手段と、前記カメラ信号をテープやメモリーに記憶させる為に圧縮するレコーダー信号処理手段と、前記レコーダー信号処理手段の出力を記録する為のデーターに変換する記録信号処理手段と、前記圧縮信号処理手段の出力信号をＵＷＢ信号に変換し出力するＵＷＢ出力手段とを有し、妨害波を検出してその妨害波を出している種類を判断して種類が特定できたときは種類を表示するように動作し、画像を電送中は、画像が静止画像か動画像を判断し動画像の場合はテープ画像かメモリー画像かにより、テープ画像は、１秒巻き戻して妨害波が消えたら妨害波の発生する事前の画像から伝送する。また前記メモリー画像の時は妨害波が発生する１フレーム前の画像から送信し直すように動作する。また前記静止画像伝送中に妨害が発生したときは、静止画像の最初から送り直すことを特徴とする画像伝送装置である。
【発明の効果】
【０００７】
以上説明したように本出願に係わる第一の発明によれば、画像伝送中にどの様な妨害が有ったのかを知らしめると共に再送信時に正確に画像が伝わりまた、待機中にも最低限の電力で待機する事で妨害が発生した時にも有効な環境を提供することが出来る。
【発明を実施するための最良の形態】
【０００８】
次に、本発明の詳細を実施例の記述に従って説明する。
【実施例１】
【０００９】
図１は、本発明の特徴を最もよく表す図画であり、同図に於いて１は、ＵＳＢ信号と周囲の電波を受信する受信手段である。２は、受信手段の信号から妨害波を検出する妨害波検出手段である。３は、前記妨害波検出手段からの信号より妨害波が通信に影響を与えるかどうかを判断する妨害判断手段である。４は、前記妨害判断手段からの信号を元に妨害波を出している機器を特定し表示や動作を制御するマイコン手段である。５は、前記マイコン手段の制御により文字信号を発生させる文字信号発生手段である。６は前記文字信号発生手段の信号を画像信号に合成する画像合成手段である。７は、撮像装置を含み画像データーを生成するカメラ信号処理手段である。８は前記、カメラ信号処理手段の信号を圧縮し電送する形に変換する圧縮信号処理手段である。９は、前記カメラ信号処理手段の信号をテープやメモリーに記憶させる為に圧縮するレコーダー信号処理手段である。１０は、前記レコーダー信号処理手段の出力を記録する為のデーターに変換する記録信号処理手段である。１１は前記圧縮信号処理手段の出力信号をＵＷＢ信号に変換し出力するＵＷＢ出力手段である。
【００１０】
図４では本発明の実際環境で使用した時のイメージ図であり、カムコーダーからＵＷＢで信号をＰＣなどに飛ばした時に近くに携帯などの強力な妨害が発生したときに図３にあるように画面に表示して妨害のために送信不良が発生した事を表示し再送信に備えるようにする。
【００１１】
この時の動作を図２のフローチャートで説明する。妨害波を検出してその妨害波を出している種類を判断して種類が特定できたときは、種類を表示するように動作し、画像を電送中は、画像が静止画像か動画像を判断し動画像の場合は、テープ画像かメモリー画像かにより、テープ画像は、１秒巻き戻して妨害波が消えたら妨害波の発生する事前の画像から伝送する。また前記メモリー画像の時は、妨害波が発生する１フレーム前の画像から送信し直すように動作する。また前記静止画像伝送中に妨害が発生したときは、静止画像の最初から送り直すことを特徴とする。
【図面の簡単な説明】
【００１２】
【図１】本発明の第一の実施例に係わるブロックを説明する図である
【図２】本発明の第一の実施例に係わるフローチャットを説明する図である
【図３】本発明の第一の実施例に係わる表示例を説明する図である
【図４】本発明の第一の実施例に係わる動作概念を説明する図である
【図５】従来例に係わるブロックを説明する図である
【符号の説明】
【００１３】
１  信手段
２  妨害検出手段
３  害判断手段
４  イコン手段
５  字信号発生手段
６  像合成手段
７  メラ信号処理手段
８  縮信号処理手段
９  コーダー信号処理手段
１０  記録信号処理手段
１１  ＷＢ出力手段
２０  メラ信号処理手段
２１  縮信号処理手段
２２  コーダー信号処理手段
２３  録信号処理手段
２４  ＷＢ出力手段
【図１】
2010004276.tif 000003
【図２】
2010004276.tif 000004
【図３】
2010004276.tif 000005
【図４】
2010004276.tif 000006
【図５】
2010004276.tif 000007